(57)【要約】【課題】  就寝時の寝返りによって上側寝具がずれてベッドから落ちたり、喚起交換による方熱を防止することができ、洗濯におけるロールアイロン掛けにおいて皺の入りにくい上側寝具用包布を提供する。【解決手段】  下側寝具の隅部が包布の足側の辺から１５〜３０ｃｍの位置にくるように挿入する下側受け部を寝具の足側の左右に設けられ、下側寝具受け部を形成する布帛の縫着間の縦方向の長さが、縫着間の包布本体の縦方向の長さより長い上側寝具用の包布。【選択図】    図６
2005305138.tif 000002
【特許請求の範囲】
【請求項１】
下側寝具の隅部を挿入する下側受け部を寝具の足側の左右に設けた上側寝具用の包布であって、下側寝具の隅部が該包布の足側の辺から１５〜３０ｃｍの位置にくるように下側寝具受け部が設けられていることを特徴とする上側寝具用包布。
【請求項２】
下側寝具受け部を形成する布帛の縫着間の縦方向の長さが、縫着間の包布本体の縦方向の長さより長いことを特徴とする請求項１記載の上側寝具用包布。
【請求項３】
長方形に裁断した生地を長手方向に折り返して両縁を縫着し、足方向に開口した上側寝具の収納口が形成されている包布である請求項１または請求項２記載の上側寝具用包布。
【請求項４】
長方形に裁断した生地を長手方向に折り返して両縁を縫着し、足方向に開口した上側寝具の収納口が形成されている包布であって、長手方向の折り返し部から１０〜５０ｃｍ離れた位置で折り返し辺と平行に表裏の生地が縫着されていることを特徴とする請求項１または請求項２記載の上側寝具用包布。
【発明の詳細な説明】
【技術分野】
【０００１】
本発明は、掛布団、毛布、タオルケット等の上側寝具と敷布団やマットレスベッド等の下側寝具を組合せた状態に保持して一体的に使用することができるようにした上側寝具用包布に関するものである。
【背景技術】
【０００２】
従来から上側寝具としての掛布団や下側寝具としての敷布団には袋状の包布に入れて使用してきた。この包布を洗濯するための交換作業は面倒な作業である。特に病院や療養施設では肌に接触する寝具は全て包布で包んで使用いて、これらの包布は一定期間毎に洗濯することが義務付けられているので、洗濯の度の包布の交換作業に費やす労力は多大なものとなっている。
【０００３】
また、従来の重い布団では床ずれの原因になり、更に寝返りが打てないことによっても床ずれの原因となってしまうため、最近では羽毛布団のように軽量な上側寝具を用いることも多くなってきて、睡眠中の寝返えりの度に上側寝具がずれて体を覆わなくなることや、足などを動かすと喚起交換による放熱がされてしまい保温性が損なわれ、ベッドを使用している場合にはベッドから上側寝具が落ちてしまうこともある。特に病院や療養施設で使用されていているベッドは一般には狭く、通常の掛布団でも寝返えりによりベッドからおちてしまうことも多い。
【０００４】
そこで本発明者は、特開平１１−１７８８６５号や特開２０００−２６２３７７号にて、長方形に裁断した生地を全長の１／３〜１／４の位置で折り返して、両縁を縫着して上側寝具の挿入口を形成して、一方の両角隅を裏側に直角三角形をなすように折り返して直角隅を縫着することにより下側寝具の両隅部を挿入する三角形袋状の下側寝具受部を形成した包布を提案した。これらの包布を病院のベッド用の上側寝具に用いた場合、包布の交換作業は非常に簡単で効果を発揮したが、洗濯における自動ロールアイロンへの投入時に、下側寝具受部の三角形の折り返し位置が安定せずにずれたり、バイアス方向に力がかかって包布本体に縫着部分から縦方向へ無数の皺が入り、きれいにアイロン掛けすることが難しかった。縮率や耐久性、洗濯乾燥性等の面からポリエステル繊維を包布に用いた場合には、一度アイロン皺が入ってしまうと自動ロールアイロンへ入れなおしても皺取りができず、皺によって床ずれにも影響があった。
【特許文献１】特開平１１−１７８８６５号公報
【特許文献２】特開２０００−２６２３７７号公報
【発明の開示】
【発明が解決しようとする課題】
【０００５】
本発明は、上記のような現状を鑑みてなされたものであり、就寝時の寝返りによって上側寝具がずれたり、ベッドから落ちたり、喚起交換により放熱することが防止でき、洗濯におけるロールアイロン掛けにおいて皺の入りにくい上側寝具用包布を提供することを課題とするものである。
【課題を解決するための手段】
【０００６】
本発明は、上記の課題を解決するものであり、
１）       
下側寝具の隅部を挿入する下側受け部を寝具の足側の左右に設けた上側寝具の包布であって、下側寝具の隅部が該包布の足側の辺から１５〜３０ｃｍの位置にくるように下側受け部が設けられていることを特徴とする上側寝具用包布、
２）       
下側受け部を形成する布帛の縫着間の縦方向の長さが、縫着間の包布本体の縦方向の長さより長いことを特徴とする上記の上側寝具用包布、
３）       
長方形に裁断した生地を長手方向に折り返して両縁を縫着し、足方向に開口した上側寝具の収納口が形成されている包布である上記の上側寝具用包布
４）       
長方形に裁断した生地を長手方向に折り返して両縁を縫着し、足方向に開口した上側寝具の収納口が形成されている包布であって、長手方向の折り返し部から１０〜５０ｃｍ離れた位置で折り返し辺と平行に表裏の生地が縫着されている上記の上側寝具用包布
を要旨とするものである。
【発明の効果】
【０００７】
本発明のように、上側寝具用包布の足側の左右に下側寝具の隅部を挿入する下側寝具受け部を設けたものにしておくと、就寝中の寝返り等により上側寝具のずれや、ベッドから落ちてしまうこと、喚起交換による放熱を防止することができる。
【０００８】
また、下側寝具受け部を形成する布帛の縫着間の縦方向の長さを、縫着間の包布本体の縦方向の長さより長くしておくと、よりしっかりと下側寝具の隅部を挿入することができるようになり、下側寝具受け部が包布本体の縫着間の長さより短く縮むことにより生じる突っ張りが発生しないので、包布本体への突っ張りによる影響がなく、自動ロールアイロン掛けにおいても皺の発生を防止できる。
【０００９】
本発明の上側寝具用包布が、長方形に裁断した生地を長手方向に折り返して両縁を縫着し、足方向に開口した上側寝具の収納口が形成されている包布である場合には、包布の交換作業が容易であり、交換数が多い病院や療養施設等においては、効率よく交換作業ができる。
また、上側寝具の収納口がタップシーツ式にしてあることで自由度が働き、体の曲線に沿うような形になるので、毛布や肌掛けを使用して隙間風を塞ぐようにしなくてもよくなる。
さらに包布の折り返し上辺に１０〜５０ｃｍの上側寝具を挿入しない部分を設けることによって襟元を覆い、カーテン効果により就寝時に肩口からの温まった空気を逃がさず、暖気の保持ができる。
【発明を実施するための最良の形態】
【００１０】
本発明の上側寝具用包布は、掛布団や毛布、タオルケット等の上掛けに使用する上側寝具の少なくとも肌に接触する側が直接肌に接触しないように覆うものであり、図１〜図５に示すような形態のものを例示することができる。
【００１１】
図１は、病院等で通常使用されている上側寝具を完全に中に収納する袋状の包布で、表側布帛２と裏側布帛の周囲を収納口４を残して縫着し、上側寝具を収納した後収納口４をファスナーやホック、紐の結び等で閉じて用いる。（図１では紐の結びで閉じた例を示している。）
【００１２】
図２は、図１と同様に上側寝具を完全に中に収納する袋状の包布であって、収納口４を表側布帛２に設けた場合で、同様にファスナーやホック、紐の結びで閉じて用いる。
図３は、家庭用としてよく用いられている表側布帛２の中央に額縁状の開口部５を設けて掛布団の表生地の模様が見える構造にした包布であり、収納口４を長辺に設けて、ファスナーやホック、紐の結びで閉じて用いる。
【００１３】
図４は、長方形に裁断した生地を長手方向の１／３から１／４の部分で折り返して表側布帛２とし、重なりの両縁を縫着６した包布であって、足方向に開口した上側寝具の収納口７が形成されている包布である。この包布は、包布の交換作業が容易で効率よく作業できる。この包布において、折り返し部から１０〜５０ｃｍ離れた位置で折り返し辺と平行に表側布帛２と裏側布帛３とを縫着８しておくと、上側寝具を収納する奥の突き当りとなり、使用中に表側布帛がまくれてずり上がったりするのを防ぐめくれ防止機能を果たすと共に、上側寝具を挿入しない上辺部１４が就寝中に肩を覆い保温機能を果たすようにできる。
【００１４】
図５は、長方形に裁断した生地を長手方向にほぼ半分に折り返して表側布帛２とした場合である。この場合、図４と同様に重なり部分の両縁を縫着してもよいが、図５に示すように両縁の半分程度縫着し、足部の残りの部分はスナップボタン等を取り付けて開閉できるようにしていくのも好ましい。このような構造にしておくと、包布の交換作業がしやすくなる。
【００１５】
本発明の上側寝具用包布は、該包布の裏側布帛の裏側に下側寝具受け部が形成されていることに特徴がある。この下側寝具受け部は、包布本体とは別に用意された布帛にて形成される。そして、この下側受け部は、下側寝具の隅部が該包布の足側の辺から１５〜３０ｃｍの位置にくるように下側受け部が設けられている。また、下側寝具受け部を形成する布帛の縫着間の縦方向の長さが、縫着間の包布本体の縦方向の長さより長いことを特徴としている。
【００１６】
下側寝具受け部が形成されている状態の例を図６及び図７で説明する。図６は、図４に示した包布を裏面から見た図であり、図７は、図４の包布を横から見た図である。図６において、包布の裏面布帛３の裏側に直角三角形に裁断された下側寝具の受け部を形成する布帛９が縫着されている。この場合直角三角形の直角をなす一辺が包布の長辺に沿うように置かれ、鋭角頂点付近で裏面布帛３に縫着１０されている。今一辺は、包布の足側の辺に平行に、包布の足側の辺から１５〜３０ｃｍの位置に縫着１１されている。そしてこの下側寝具の受け部を形成する布帛の縫着間の縦方向の長さは、縫着間の包布本体の縦方向の長さより長くして、下側寝具の受け部１２が形成されている。すなわちこの場合には、包布の長辺に沿う直角三角形の直角をなす一辺の長さは、縫着間の包布本体より長く、下側寝具の受け部を形成する布帛９には弛みができて、この弛みで、下側寝具の隅部を保持させておくと寝返りを打っても掛布団がずれたりしなくなる。下側寝具の受け部を形成する布帛９には弛みの大きさは、下側寝具の受け部を形成する布帛の縫着間の縦方向の長さと、縫着間の包布本体の縦方向の長さの差で決まるが、この差は、使用される下側寝具としての敷布団やマットレスの厚さに応じて決定されればよい。
【００１７】
図７は、図４を横から見た図である。下側寝具の受け部を形成する布帛９は、図７で示されているように弛んだ状態に縫着され、この弛みの部分にて下側寝具の隅部を保持させる。
【００１８】
本発明において、下側寝具の受け部を形成する布帛９の形状と裏面布帛３との縫着状態は、図６に例示した以外に図８〜図１１に示す例を挙げることができる。図８は、下側寝具の受け部を形成する布帛９の形状を、図５に示す直角三角形の頂角部をカットした形状とした例である。図９は、台形の変形形状とした例であり、図１０は、図９に示す台形の変形形状とした布帛９の底辺を傾斜させカットした形状の例である。図１１は、受け部を形成する布帛を台形に裁断した布帛とし、上側の縫着を包布本体の辺に沿って行った例を示す。
【実施例１】
【００１９】
包布用に布帛として、平織の織物を幅１５００ｍｍ、長さ３３５０ｍｍに裁断し、その長手方向の端から１０００ｍｍのところで折り返して、折り返し部分を包布の表面布帛２とし、重なりの両縁を端から縫着６し、足側に開口した下側寝具収納口７を形成させ、折り返し辺から２００ｍｍのところを折り返し辺に平行に縫着８して上側寝具の収納部の底とした上側寝具用包布を得た。この包布の裏面布帛３の裏側に、直角を成す辺の長さがそれぞれ３００ｍｍである直角二等辺三角形に裁断した綿ポプリンを、直角を成す辺の一辺が裏面布帛３の長辺と平行となり、今一辺が短辺と平行で足側から２５０ｍｍの位置に置き、短辺と平行なる辺を縫着１１し、裏面布帛３の長辺側の頂角部を５０ｍｍ足側にずらして、すなわち包布の長さ方向の縫着間の差を５０ｍｍとした弛みをもたせて縫着１０し、下側寝具受け部を形成して、図４、図６、図７に示す形状の本発明の上側寝具用包布を得た。
この包布に幅１４００ｍｍ、長さ２１００ｍｍの掛布団を収納し、厚さ４０ｍｍのマットレスの足側の隅を下側寝具受け部に係合して就寝したところ、寝返りによる掛布団のずれはみられなかった。また、洗濯後のロールアイロンによるアイロン掛けにおいて、皺の発生もなく美しい仕上がりとすることができた。
【図面の簡単な説明】
【００２０】
【図１】本発明の包布の構造の例を示す図である。
【図２】本発明の包布の構造の例を示す図である。
【図３】本発明の包布の構造の例を示す図である。
【図４】本発明の包布の構造の例を示す図である。
【図５】本発明の包布の構造の例を示す図である。
【図６】本発明の包布の裏面の構造の例を示す図である。
【図７】本発明の包布を横から見た図である。
【図８】本発明の包布の裏面に設ける下側寝具受け部の構造の例を示す図である。
【図９】本発明の包布の裏面に設ける下側寝具受け部の構造の例を示す図である。
【図１０】本発明の包布の裏面に設ける下側寝具受け部の構造の例を示す図である。
【図１１】本発明の包布の裏面に設ける下側寝具受け部の構造の例を示す図である。
【符号の説明】
【００２１】
１  上側寝具包布
２  包布の表側布帛
３  包布の裏側布帛
４  上側寝具収納口
５  額縁状開口部
６  縫着
７  上側寝具収納口
８  縫着
９  下側寝具受け部用布帛
１０  縫着
１１  縫着
１２  下側寝具受け部
１３  スナップ
１４  上辺部
【図１】
2005305138.tif 000003
【図２】
2005305138.tif 000004
【図３】
2005305138.tif 000005
【図４】
2005305138.tif 000006
【図５】
2005305138.tif 000007
【図６】
2005305138.tif 000008
【図７】
2005305138.tif 000009
【図８】
2005305138.tif 000010
【図９】
2005305138.tif 000011
【図１０】
2005305138.tif 000012
【図１１】
2005305138.tif 000013